(57)【特許請求の範囲】
【請求項１】
少なくとも１つの引戸に固定軸１８を介して軸支した鎌１４の鉤状先端部内側に、該鉤状先端部の第１稜線部分Ｐ１付近がローラ３２を介して相手方である他方の引戸の縦框内または戸枠に組み込まれた受け金具内のストライク軸３１が直ちに摺接するように、湾曲状の引寄せ面２６と、この引寄せ面の終点に相当する第２稜線部分Ｐ２を越えると前記ローラ３２に対して最終的な掛止力を保持する垂直状掛止め面２７とをそれぞれ連続形成し、前記１つの引戸は、操作片２３を上下方向へ操作すると、該操作片２３の操作力により上下方向ヘスライドする作動部材２１の可動軸２０と係合する係合孔１９を有する前記鎌１４は、前記固定軸１８を基点に回転すると共に、前記第１稜線部分Ｐ１乃至第２稜線部分Ｐ２の引寄せ面２６でもって、前記引戸同士を互いに引寄せ、或いは前記１つの引戸を閉戸方向へと引き寄せることを特徴とする引戸の鎌錠装置。
【請求項２】
請求項１に於いて、閉戸時の施錠位置を基準にすると、引寄せ面は湾曲面であり、一方、掛止め面は垂直状態の面であることを特徴とする引戸の鎌錠装置。
【発明の詳細な説明】
【技術分野】
【０００１】
本発明は、引戸の鎌錠装置に関する。本発明は、特に引き違い戸に適合する。
【背景技術】
【０００２】
まず、図５を参照にして、「戸先錠」を備えた引戸と受け金具が組み込まれた戸枠の関係を説明する。換言すれば、戸先錠の鎌金と戸先錠用ストライクとの関係である。図５に於いて、１は引戸、２は引戸の先に設けた錠箱、３は錠箱のフロント、４は戸先錠（詳細は割愛）を構成する鎌、５は鎌の基部を枢支する支軸である。周知のように、前記鎌４は、幅広の基部４ａと、この基部４ａに連設する鉤状の先端部４ｂとから成る。なお、先端部４ｂの引寄せ内面は、図５で示すように直線的である。
【０００３】
一方、６は戸枠、７は戸枠の中に組み込まれた受け金具である。周知のように、受け金具７は、トロヨケ８と、ストライク９とから成り、前記ストライク９の中央部には、フロント３の開口３ａと対向する鎌挿入孔９ａが形成されている。
【０００４】
上記構成に於いて、閉戸時、鎌４は支軸５を支点にして、錠箱２に没入する鎖線位置から受け金具７の鎌挿入孔９ａを介して実線位置まで回動可能である。
【０００５】
付言すると、引戸１を閉めたとき、鎌２が実線位置に突出して、その内側が垂直面の鉤状先端部４ｂがストライク９の裏面に係合し、引戸１は閉鎖状態に保持される。この時、前記鉤状先端部４ｂは、引戸を閉じる方向に引寄せる機能を有しない。そして、この状態で戸先錠をロックすれば引戸１は本施錠される。
【０００６】
ところで、錠箱２を引戸１に固着する場合、また、ストライク９を有する受け金具７を戸枠６側の表面に固着する場合に、それぞれ取り付け位置に誤差が生じ、両方の誤差の総和によりストライク９の位置は鎌４に対して上下方向及び前後方向にずれる。上下方向の相対的な位置誤差が大きい場合には、突出中の鎌４がストライクの前面に衝突する問題が発生し、一方、前後方向の相対的な位置誤差が大きい場合には、突出した鎌４の鉤状先端部４ｂとストライク９の裏面とに間に隙間を生じて閉鎖状態の引戸１にがたつきを生じる。
【０００７】
そこで、特許文献１には、受け金具の中に、鎌の鉤状先端部用の掛け止め部を有する枠状の掛止め部材を回転自在に軸支して、前後方向の相対的な位置誤差を解消する。また、特許文献２の図１には、受け金具の中に、調整ねじと螺合するストライクプレート（鎌の鉤状先端部用の掛け止め片）を内装して、引戸の戸先と戸枠の縦枠との間の隙間を解消する。
【０００８】
次に、特許文献３には、図６で示す事項が開示されている。図６に於いて、Ｘは引き違い戸に取り付けられた鎌錠装置（詳細は割愛）である。この鎌錠装置Ｘは、外側引戸（一方の引戸の意味）１１の外框１２と、この外框１２に係合（掛合）する鎌１４を内框１５に備えた内側引戸（他方の引戸の意味）１６とから構成されている。
【０００９】
外框１２は外側引戸１１の一端部に設けられた縦框であり、引戸１１，１６を互いに閉めた際に内框１５と対向する縦板の中央部には鎌挿入孔１７が形成されている。この鎌片用窓１７の開口幅は、鎌１４の鉤状先端部１４ｂの形状や大きさを考慮してやや幅広に形成されている。また、内側引戸１６のフロントにも鎌用出入り口１３が形成されている。
しかして、鎌１４は、幅広基部１４ａと、この基部１４ａに連設する鉤状先端部１４ｂとから成り、前記鉤状先端部１４ｂの外框１２と掛合する内側は、図５で示した鎌４の先端部４ｂと同様に直線状の単なる掛止め面１４ｃとなっている。
【００１０】
鎌１４は、その基部１４ａが固定軸１８に軸支されていると共に、基部１４ａに形成された案内機能を有する係合孔１９及び可動軸２０を介して上下方向にスライドする作動部材２１に連結されている。作動部材２１は、図示しない操作片の操作力により作動する。鎌１４は作動部材２１に連動して回転する。
【００１１】
ところで、引き違い戸に取り付けられた鎌錠装置Ｘの場合も、戸先錠と同様に、建具（引戸）の取付け上の問題から、引戸同士に隙間が生じる（ここでは引戸の壁面を基準とする前後方向にずれ）。そこで、引戸同士を引き寄せる工夫が要望される。
【００１２】
特許文献４の記載は、１枚又は複数枚の引戸に対して、引戸の前後方向のガタ付きを防止するために、受け金具のトロヨケの左右側壁に垂直方向の連続的係合歯を形成し、この連続的係合歯に係合するブロック形状のガタ付き防止部材を複数個のバネ部材と共にトロヨケに上下動可能に内装するものである。
【００１３】
しかしながら、特許文献４の記載の発明は、引戸の前後方向のガタ付きを防止することができるという利点を有するものの、トロヨケ内に複数個の部品を組み込まなければならないという問題点がある。
【特許文献１】実開昭６１−１７３６６５号公報
【特許文献２】特開平１０−２６６６４６号公報
【特許文献３】特開２００１−３２３７０２号公報
【特許文献４】特開２００３−９７８２０号公報
【発明の開示】
【発明が解決しようとする課題】
【００１４】
本発明の第１の目的は、引戸の閉戸時における前後方向の隙間を極力解消すると共に、鎌の掛止力も十分に保持することができることである。第２の目的は、トロヨケ内に複数個の部品を組み込まなくても、コロンブスの卵のような発想に基づき、第１の目的を達成することである。これにより、製品の安価性、取付け容易性等の各要求を満たすことができる。
【課題を解決するための手段】
【００１５】
本発明の引戸の鎌錠装置は少なくとも１つの引戸に固定軸１８を介して軸支した鎌１４の鉤状先端部内側に、該鉤状先端部の第１稜線部分Ｐ１付近がローラ３２を介して相手方である他方の引戸の縦框内または戸枠に組み込まれた受け金具内のストライク軸３１が直ちに摺接するように、湾曲状の引寄せ面２６と、この引寄せ面の終点に相当する第２稜線部分Ｐ２を越えると前記ローラ３２に対して最終的な掛止力を保持する垂直状掛止め面２７とをそれぞれ連続形成し、前記１つの引戸は、操作片２３を上下方向へ操作すると、該操作片２３の操作力により上下方向ヘスライドする作動部材２１の可動軸２０と係合する係合孔１９を有する前記鎌１４は、前記固定軸１８を基点に回転すると共に、前記第１稜線部分Ｐ１乃至第２稜線部分Ｐ２の引寄せ面２６でもって、前記引戸同士を互いに引寄せ、或いは前記１つの引戸を閉戸方向へと引き寄せることを特徴とする。
【００１６】
ここで、「引戸」には、戸先に鎌錠装置が取り付けられている戸や引き違い戸の対向框に鎌錠装置が取付けられている戸を意味する。また、ここで「前後方向」とは、戸先錠の引戸の場合には、戸の開閉方向を意味し、引き違い戸の場合には、戸を互いに引き寄せる方向を意味する。
【発明の効果】
【００１７】
（１）引戸の閉戸時における前後方向の隙間を極力解消すると共に、鎌の掛止力も十分に保持することができる。
（２）鎌の鉤状先端部に引戸を引寄せる機能を加味したので、トロヨケ内に複数個の部品を組み込まなくても、当業者も思いつかないような発想（コロンブスの卵のような発想）に基づき、第１の目的を達成することである。付言すれば、トロヨケあるいは相手方の縦框の方にストライクの機能を有する横軸、横杆等の棒状体を設けるだけで良いので、製品を安価に製作することができる。したがって、安価性、取付け作業容易性等の各要求を満たすことができる。
（３）請求項１および請求項２に記載の発明は、鎌をスムースに案内する。
【発明を実施するための最良の形態】
【００１８】
図１乃至図４を参照にして、本発明の一実施例を説明する。なお、本発明の最良の形態を説明するに当たって、図６に記載した実施例と同一の部分には同一・同様の符号を付して重複する説明を省略する。また、固着具、操作片用切欠部、鎌用キャッチャー、付勢バネ、支持軸等の細部的事項は、特許文献３等に記載されているように公知乃至周知事項なので、それらの説明も割愛し、発明のポイントに絞って説明する。
【００１９】
（１）主たる構成部材
図１乃至図４の引き違い戸に適用した実施例に於いて、Ｘは鎌錠装置、１１は外側引戸（一方の引戸）、１２は外框、１２ａ外框の縦板（受け金具のストライクに相当）、１３はフロントに形成した鎌用出入り口、１４は鉤状の鎌、１４ａは幅広基部、１４ｂは鉤状先端部、１５は外框１２に対向する内框、１６は内側引戸（他方の引戸）、１７は鎌用出入り口１３と対向する鎌挿入孔、１８は鎌１４の幅広基部１４ａを軸支する固定軸、１９は作動部材の下端部に設けた可動軸２０と係合する長孔状の係合孔、２１は長片状の作動部材、２２は作動部材２１用のケース状案内部材、２３は作動部材２１用の操作片、２４は内側カバー、２５は内框１５側に設けられた可動軸２０用の垂直案内長孔等の案内部分である。
【００２０】
（２）本発明の主要部ないし要部
次に、図２及び図３を参照にして、本発明の主要部ないし要部を説明する。鎌１４の鉤状先端部１４ｂの内側には、湾曲状の引寄せ面２６と共に該引寄せ面２６に連続する掛止め面２７を形成されている。引寄せ面２６は、用語の通りある物を引寄せる意味合いであり、この実施例では、互い違いの引戸１１、１６を前後方向に互いに引寄せる。
【００２１】
したがって、鎌錠装置Ｘが戸先式の引戸に取り付けられている場合には、引戸を戸枠の縦枠側（閉鎖方向、隙間を狭くする方向）へ引寄せることである。
【００２２】
さて、本実施例の引寄せ面２６は、図２で示すように、鉤状先端部１４ｂの先端面２８の第１稜線部分Ｐ１から垂直状掛止め面２７の第２稜線部分Ｐ２に至るまでやや湾曲状に形成されている。
【００２３】
一方、前記掛止め面２７は、鎌１４の中間部に相当する内側の凹所状切欠部２９の左辺を形成する垂直面である。図５及び図６で説明したように、一般に鎌金（鎌片）の鉤状先端部の凹所状切欠部２９の左辺は、鉤状先端部の先端面からストレート（掛合時にはその全体が垂直面）に形成されている。これに対して、本発明の鎌１４は、垂直面２７に至る前に傾斜状あるいは湾曲状の引寄せ面２６が形成されている。
【００２４】
一方、前述した鎌挿入孔１７を介して前記鉤状先端部１４ｂを受け入れる外框１２内には、ストライクの機能を有する横軸、横杆等の棒状体（以下、「ストライク軸」という。）３１が固定的に横設軸架されている。このストライク軸３１は鎌挿入孔１７に臨むように外框１２内に位置し、外框１２の縦板１２ａ（受け金具のストライク）とは別個の部材である。
【００２５】
そして、本実施例では、鉤状先端部１４ｂとの滑動を良好にするために、ストライク軸３１にパイプ状のローラ３２を回転自在に嵌着している。
【００２６】
（３）作用を示す概略図
図４は、鎌１４の解錠位置（左側）から仮施錠位置（右側）に至るフロー的な概略図である。図４を見ると明らかなように、鎌１４は、その解錠位置では、内框１５内に後退していることから、鉤状先端部１４ｂは、相手側（例えば外框）１２のローラ３２を含むストライク軸３１から離れている。
【００２７】
そこで、今仮に、図１で示す操作片２３を下方方向へ操作すると、作動部材２１が案内部材２２に案内されて下方へとスライドする。作動部材２１が作動すると、鎌１４の基端部１４ａは制御機能を有する可動軸２０に押されることになるから、鎌１４は固定軸１８を支点に掛合方向へと回転する。
【００２８】
鎌１４が回転すると、まず、鎌１４の鉤状先端部１４ｂの第１稜線部分Ｐ１付近がローラ３２を介してストライク軸３１に当たる。鎌１４は回転し続けるから、直ちに湾曲状の引寄せ面２６がローラ３２に摺接する。
【００２９】
しかして、引寄せ面２６がローラ３２を摺接すると、引戸同士は互いに引き合うことになる。そして、鎌１４は回転し続けていることから、引寄せ面２６から掛止め面２７の第２稜線部分Ｐ２に至り、該第２稜線部分Ｐ２を越えると、最後には、ローラ３２に対して垂直状態の掛止め面２７が掛合する。この時、掛止め面２７は垂直状態であるから、鎌１４は十分に掛止力を保持することができる。
【実施例】
【００３０】
実施例で説明したように、本発明は互い違いの引戸のみならず、戸先錠にも適用することができ。また、特に図示しないが、引寄せ面２６は湾曲状に形成されているが、該引寄せ面２６は、互い違いの引戸１１、１６を前後方向に互いに引寄せる機能を発揮するのであれば、例えばやや傾斜状に形成しても良い。
【００３１】
さらに、内框１５側に可動軸２０用の垂直案内長孔等の案内部分２５が設けられているが、これは鎌１４を所定の位置に停止させるストッパー機能を持たせるためであり、本発明の限定要件ではない。本発明の特定要件は、発明の目的によって決定付けられる。
【産業上の利用可能性】
【００３２】
本発明は、主に錠前や建具業界で利用される。
【図面の簡単な説明】
【００３３】
図１乃至図４は本発明の一例を示す各説明図。
【図１】本発明の概略断面説明図。
【図２】主要部ないし要部の概略説明図。
【図３】鎌を中心とする主要部ないし要部の斜視図。
【図４】作用を示すフロー的な概略図
【図５】従来の一例（戸先タイプ）を示す概略説明図。
【図６】従来の他例（引き違いタイプ）を示す概略説明図。
【符号の説明】
【００３４】
Ｘ…鎌錠装置、１１…外側引戸（一方の引戸）、１２…外框、１２ａ…外框の縦板、１４…鎌、１４ａ…幅広基部、１４ｂ…鉤状先端部、１５…内框、１６…内側引戸（他方の引戸）、１７…鎌挿入孔、１８…固定軸、１９…係合孔、２０…可動軸、２５…垂直案内部分、Ｐ１…第１稜線部分、Ｐ２…第２稜線部分、２６…引寄せ面、２７…掛止め面、２８…先端面、２９…凹所状切欠部、３１…ストライク軸、３２…ローラ。
【図１】
0004746967.tif 000002
【図２】
0004746967.tif 000003
【図３】
0004746967.tif 000004
【図４】
0004746967.tif 000005
【図５】
0004746967.tif 000006
【図６】
0004746967.tif 000007